(57)【特許請求の範囲】
【請求項１】
第１および第２の起動ボタン（１０２，１０４）と係合するように構成された、ユーザにより操作可能な電気スイッチ（１００）であって、
ハウジング（１０６）と、
第１の導体（１１６’，１１６''）および第２の導体（１１８’，１１８''）を有する少なくとも１組の導体（１１４’，１１４''）と、
前記第１および第２の導体（１１６’，１１６''，１１８’，１１８''）が電気的に接続されたオンスイッチ位置と、電気的に接続されないオフスイッチ位置との間を移動できる起動部品（１１２）とを備え、
前記起動部品（１１２）の外側表面（１２０）が１組の第１の保持表面（１２２）および１組の第２の保持表面（１２４）を有し、
前記第１の保持表面（１２２）は、前記第１の起動ボタン（１０２）により形成された対応する第１の係合表面（１３６）と係合することにより、前記起動部品（１１２）に対して前記第１の起動ボタン（１０２）を保持するように構成され、
前記第２の保持表面（１２２）は、前記第２の起動ボタン（１０４）により形成された対応する第２の係合表面（１２６）と係合することにより、前記起動部品（１１２）に対して前記第２の起動ボタン（１０４）を保持するように構成され、
前記第１の係合表面（１３６）と前記第２の保持表面（１２４）とが係合することにより、前記第１の起動ボタン（１０２）が前記起動部品（１１２）に対して保持されないように、前記第１および第２の保持表面（１２２，１２４）は互いに対して配置され、
前記第２の係合表面（１２６）と前記第１の保持表面（１２２）とが係合することにより、前記第２の起動ボタン（１０４）が前記起動部品（１１２）に対して保持されないように、前記第１および第２の保持表面（１２２，１２４）は互いに対して配置されることを特徴とする電気スイッチ。
【請求項２】
請求項１に記載の電気スイッチであって、
前記第１の保持表面（１２２）および前記第２の保持表面（１２４）は、半径方向、並進方向、または円周方向における異なる位置に配置されることを特徴とする電気スイッチ。
【請求項３】
請求項１または２に記載の電気スイッチであって、
前記外側表面（１２０）の前記第１の保持表面（１２２）は第１の半径を有する円弧を形成し、
前記外側表面（１２０）の前記第２の保持表面（１２４）は第２の半径を有する円弧を形成し、
第１の半径と第２の半径とは異なることを特徴とする電気スイッチ。
【請求項４】
請求項１〜３のいずれか１に記載の電気スイッチであって、
前記起動部品（１１２）は、前記第１の保持表面（１２２）を形成する半径方向に延びる突起部（１３０）を有することを特徴とする電気スイッチ。
【請求項５】
請求項１〜４のいずれか１に記載の電気スイッチであって、
前記第２の係合表面（１２６）を形成する方向に延びる係合部材（１２８）を有することを特徴とする電気スイッチ。
【請求項６】
請求項５に記載の電気スイッチであって、
前記第２の起動ボタン（１０４）が前記起動部品（１１２）に取り付けられたとき、並進方向に延びる前記係合部材（１２８）は、半径方向に延びる突起部（１３０）の間に形成された空間内に配置されることを特徴とする電気スイッチ。
【請求項７】
請求項１〜６のいずれか１に記載の電気スイッチであって、
前記第１および第２の起動ボタン（１０２，１０４）の少なくとも一方は、前記起動部品（１１２）に取り付けられたとき、前記起動部品（１１２）に対向する開口部（１４２）を含むキャビティ（１４０）を有することを特徴とする電気スイッチ。
【請求項８】
請求項１〜７のいずれか１に記載の電気スイッチであって、
前記起動部品（１１２）に取り付けられる前記第１および第２の起動ボタン（１０２，１０４）の少なくとも一方の前記起動ボタン内で発光するように構成された発光部品（１４４）を有することを特徴とする電気スイッチ。
【請求項９】
請求項８に記載の電気スイッチであって、
前記発光部品（１４４）は、前記起動部品（１１２）の位置に関係なく、前記ハウジング（１０６）に対して同一の位置に維持されることを特徴とする電気スイッチ。
【請求項１０】
請求項８または９に記載の電気スイッチであって、
前記起動部品（１１２）に取り付けられた一方の前記起動ボタン（１０２，１０４）の前記キャビティ（１４０）内で発光させるとともに、前記起動部品（１１２）をオンスイッチ位置とオフスイッチ位置との間で移動させることができるように、前記発光部品（１４４）を前記起動ボタン（１０２，１０４）に対して配置することを特徴とする電気スイッチ。
【請求項１１】
請求項１〜１０のいずれか１に記載の電気スイッチ（１００）に用いられる起動ボタン（１０２，１０４）。
【請求項１２】
請求項１〜１１のいずれか１に記載の起動ボタン（１０２，１０４）と、請求項１〜１２のいずれか１に記載の電気スイッチ（１００）との組み合わせ。
【請求項１３】
請求項１〜１２のいずれか１に記載の起動ボタン（１０２，１０４）と、請求項１〜１２のいずれか１に記載の電気スイッチ（１００）とを有するキット。
【発明の詳細な説明】
【技術分野】
【０００１】
本発明は、オンスイッチ位置とオフスイッチ位置との間で移動することができる電気スイッチに関する。さらに本発明は、起動部品に固定されるように構成された１つまたはそれ以上の起動ボタンに関する。さらに本発明は、電気スイッチおよび起動ボタンの組み合わせに関する。最後に、本発明は、電気スイッチおよび起動ボタンのキットに関する。
【背景技術】
【０００２】
今日の電気デバイスにおいて、電気スイッチは一般に利用される部品であるため、製造業者および顧客の要望として、スイッチはできるだけ安価で、かつ汎用性のあるものであることが好ましい。
【発明の概要】
【発明が解決しようとする課題】
【０００３】
本発明の実施形態の目的は、少数の部品を数多くの異なるスイッチ部品に組み合わせることができるシステムを提供することにある。
【０００４】
また、本発明の実施形態の目的は、少なくとも２つの異なるスイッチボタンを用いて係合されるように構成された電気スイッチを提供することにある。
【０００５】
さらに、本発明の実施形態の目的は、スイッチの起動ボタンの位置によらず、発光部品が同じ位置にされる電気スイッチを提供することにある。
【課題を解決するための手段】
【０００６】
第１の態様に係る本発明は、第１および第２の起動ボタンと係合するように構成された、ユーザにより操作可能な電気スイッチに関する。この電気スイッチは、
・ハウジングと、
・第１の導体および第２の導体を有する少なくとも１組の導体と、
・導体が電気的に接続されたオンスイッチ位置と、電気的に接続されないオフスイッチ位置との間を移動できる起動部品とを備える。
起動部品の外側表面が１組の第１の保持表面および１組の第２の保持表面を有し、第１の保持表面は、第１の起動ボタンにより形成された対応する第１の係合表面と係合することにより、起動部品に対して第１の起動ボタンを保持するように構成され、第２の保持表面は、第２の起動ボタンにより形成された対応する第２の係合表面と係合することにより、起動部品に対して第２の起動ボタンを保持するように構成される。
【０００７】
本発明の１つの利点は、起動部品に異なる起動ボタンを取り付けることができる点にある。第１および第２の保持表面を設けたことにより、（起動ボタン上に設けられた）係合表面に対して、異なる２つの表面で係合させることができる。その結果、複数の異なるボタンを配設することができる。
【０００８】
電気スイッチは、半田付けなどの既知の手法を用いて、プリント配線基板（ＰＣＢ）上に実装できるように構成してもよい。ＰＣＢに取り付けるか、電気的に接続するために、デバイスの電気導体（電気接点）にアクセス（接続）することができる。導体は、Sn100またはスズ銅（CuNi）等のスズを含むものであってもよい。
【０００９】
第１および第２の起動ボタンは、異なる形状を有するものであってもよい。少なくとも１つの起動ボタンの断面形状は、円形、卵形、楕円形、または三角形や四角形などの多角形当であってもよい。起動ボタンは、透明材料で構成してもよい。この断面は、起動部品の上側表面などの電気スイッチの上側表面に平行な平面を有していてもよい。
【００１０】
起動ボタンは、ポリフェニレンサルファイド（PPS：Polyphenylenesulfide）などのプラスティック材料から構成されるものであってもよい。択一的には、あるいは補足的には、起動ボタンは、ガラスファイバまたはケブラーを用いて強化してもよい。ハウジングは１つまたはそれ以上の部品で構成されるものであってもよい。１つの実施形態によれば、ハウジングは互いに固定された上側部分および下側部分を有する。１つの実施形態によれば、溶接や接着剤を用いて、上側部分および下側部分を互いに対して永続的に固定する。永続的に固定すると、２つ部品自体、またはこれらを互いに固定するために用いられた材料（接着剤など）に損傷を与えることなく、２つ部品を分離することができないということを意味する。１つの実施形態によれば、上側部分および下側部分は、スナップ式の嵌合固定などにより互いに着脱可能に固定される。ハウジングは、起動ボタンについて上述したものと同一の材料を用いて構成してもよい。
【００１１】
起動部品は、ハウジングについて上述した材料のいずれかを用いて構成してもよい。起動部品は、導体が電気的に接続されたオンスイッチ位置と、電気的に接続されないオフスイッチ位置との間を移動することができる。１つの実施形態によれば、この移動は、ハウジングの中および外への直線的な移動である。１つの実施形態によれば、この移動は、電気スイッチが取り付けられた表面に対して垂直な方向に沿って起動部品を移動させるものである。別の実施形態によれば、この移動は、上記垂直方向に対して横断する方向、たとえば平行な方向の移動であってもよい。１つの実施形態においては、この移動は回転方向の移動であって、起動部品および起動ボタンは電気デバイスが取り付けられた表面の法線の周りに回転するものである。択一例としては、起動部品は、電気スイッチが固定された表面に平行に延びるラインの周りに回転する。
【００１２】
異なる２つの種類の起動ボタンを起動部品に固定するために、起動部品の外側部品は、１組の第１の保持表面および１組の第２の保持表面を有する。１つの実施形態において、起動部品は、２組以上の保持表面を有する。したがって、起動部品は、１組の第３の保持表面および１組の第４の保持表面を有していてもよい。保持表面の数が多いほど、起動部品に固定し、取り付けられる異なる種類の起動ボタンの数を増やすことができることが理解される。本明細書は２組の保持表面を有するものについて説明するが、任意の数の保持表面を用いることができ、権利範囲は任意の数の組に及ぶものであることが理解される。
【００１３】
１つの実施形態によれば、「組」なる用語は少なくとも１つの保持表面であると理解すべきである。別の実施形態では「組」なる用語は少なくとも２つの保持表面であると理解すべきである。すなわち１組の保持表面は、１つ、２つ、３つ、４つ、５つ等の保持表面を含むものであってもよい。
【００１４】
特に言及しなければ、垂直方向、水平方向、横方向、上方向、下方向、下側、上側、側方等の用語は、起動部品がデバイスの最上部を構成するように配向されたときの位置にある電気スイッチを表現するものである。ただし、電気スイッチは、使用時においては、他の任意の方向に配向されるものであってもよい。
【００１５】
第１の保持表面および第２の保持表面は、半径方向、並進方向、または円周方向における異なる位置に配置されるものであってもよい。１つの実施形態によれば、第１の保持表面および第２の保持表面は、異なる垂直位置に配置される。この実施形態において、係合表面を構成する半径方向に延びた部材の長さは異なる。たとえば、１組の第１の保持表面は、１組の第２の保持表面より上方に配置されるものであってもよい。したがって、この実施例の場合、１組の第１の保持表面から起動部品の上側表面までの距離は、１組の第２の保持表面からその上側表面までの距離より短い。さらに第１の起動ボタンにより形成される第１の並進延長部材は、起動部品の上側表面から１組の第２の保持表面まで延びるように設計されている第２の並進延長部材より短い。
【００１６】
択一的には、あるいは補足的には、起動部品の中心から第１の起動部品の外側表面までの距離は、起動部品の中心から第２の起動部品の外側表面までの距離とは異なるものであってもよい。
【００１７】
択一的には、あるいは補足的には、第１の保持表面のそれぞれの周方向の広がりは、第２の保持表面のそれぞれの周方向の広がりとは異なっていてもよい。１つの実施形態によれば、第１の保持表面は、第２の保持表面より大きい周方向の広がりを有する。別の実施形態では、逆に、第２の保持表面が第１の保持表面より大きい周方向の広がりを有する。
【００１８】
１つの実施形態によれば、第１の保持表面は周方向に離間している。この実施形態では、第２の保持表面は、第１の保持表面の間に形成される空間内に配設されるものであってよい。
【００１９】
第１の係合表面と第２の保持表面とが係合することにより、第１の起動ボタンが起動部品に対して保持されないように、第１および第２の保持表面は互いに対して配置されるものであってもよい。この場合、第１の係合表面と第１の保持表面とが係合することにのみ起因して、第１の起動ボタンは起動部品に対して保持される。
【００２０】
さらに、第２の係合表面と第１の保持表面とが係合することにより、第２の起動ボタンが起動部品に対して保持されないように、第１および第２の保持表面は互いに対して配置されるものであってもよい。この場合、第２の係合表面と第２の保持表面とが係合することにのみ起因して、第２の起動ボタンは起動部品に対して保持される。
【００２１】
第１および第２の保持表面は、任意の形状を有していてもよい。１つの実施形態では、第１の保持表面および／または第２の保持表面は、平坦な表面を有する。この場合、保持表面は、六角形形状や八角形形状等の多角形形状を有するように構成してもよい。
【００２２】
別の実施形態では、外側表面の第１の保持表面は第１の半径を有する円弧を形成し、外側表面の第２の保持表面は第２の半径を有する円弧を形成する。第１の半径と第２の半径とは同一であってもよいし、異なっていてもよい。すなわち、第１の半径が第２の半径より大きくてもよいしい、第２の半径が第１の半径より大きくてもよい。
【００２３】
１つの実施形態によれば、第１の保持表面の半径は、同一ではない。すなわち第１の保持表面の１つは、他の第１の保持表面より大きい半径を有していてもよい。第２の保持表面についても同様である。
【００２４】
第１および第２の起動ボタンのいずれか一方または両方は、並進延長部材を有する。各並進延長部材は、関連する係合表面を有していてもよい。したがって、第１の起動ボタンは、第１の係合表面のうちの１つを構成する並進延長部材を有していてもよい。さらに
第２の起動ボタンは、第１の係合表面のうちの１つを構成する並進延長部材を有していてもよい。
【００２５】
起動部品は、第１の保持表面を含む半径方向に延びる突起部を有していてもよい。この場合、第２の保持表面は半径方向に延びる突起部の間に形成された空間内に配置されてもよく、その結果、第２の起動ボタンが起動部品に取り付けられたとき、並進延長部材が半径方向に延びる突起部の間に形成された空間内に配置される。
【００２６】
１つまたはそれ以上の起動ボタンは、キャビティを含まない中実のものであってもよい。択一的には、あるいは補足的には、第１および第２の起動ボタンのうちの少なくとも一方または両方は、開口部を含むキャビティを有する。開口部は、起動ボタンが起動部品に取り付けられたとき、起動部品に対向する。１つの実施形態によれば、開口部は、起動部品の上側表面により形成される平面と同一平面を形成する。
【００２７】
１つの実施形態では、起動ボタンが起動部品に取り付けられたとき、起動部品が１つまたはそれ以上の起動ボタンのキャビティ内に延びるように、起動部品および１つまたはそれ以上の起動ボタンは設計されている。
【００２８】
電気スイッチは発光部品を有していてもよい。１つの実施形態によれば、発光部品は、起動部品に取り付けられる第１および第２の起動ボタンの一方の起動ボタン内で発光するように構成されている。この場合、起動部品は透明であってもよい。起動ボタンは導波管を構成してもよく、すなわち起動ボタンは、可視光を案内することができるものであってもよい。したがって、起動ボタン内で発せられる光は、起動ボタンの外側表面から視認できるものであってもよい。導波管は、光ファイバ技術で知られたガラスなどの任意の材料を用いて構成してもよい。
【００２９】
１つの実施形態では、発光部品は、起動部品の外側（上側）表面を構成することにより、起動部品の一部をなすものであってもよい。この実施形態の場合、起動部品が押下されると、発光部品の電気導体（接点）が導体の複数の組の１つと接触することにより、発光部品に電気エネルギが供給されるようにしたものであってもよい。
【００３０】
発光部品が起動部品の一部を構成するとき、起動部品が移動するとともに、発光部品が移動する。択一的には、発光部品は、起動部品の位置に関係なく、ハウジングに対して、水平方向、および／または垂直方向、および／または回転方向における同一の位置に維持されるものであってもよい。したがって、起動部品が押圧され、移動し、回転等しても、発光部品は同一の位置に維持される。
【００３１】
一例として、起動部品は、オンスイッチ位置とオフスイッチ位置との間で切り換えるために、垂直方向に移動するように構成してもよい。この具体例において、起動ボタンが押下され、相対的に発光部品が発光部品の内部にさらに移動したとき、発光部品は、起動ボタンの内部に形成されたキャビティ内を移動するように構成してもよい。
【００３２】
この具体例によれば、起動部品に取り付けられた一方の起動ボタンのキャビティ内で発光させるとともに、起動部品をオンスイッチ位置とオフスイッチ位置との間で移動させることができるように、発光部品は起動ボタンに対して配置することができる。
【００３３】
このように発光部品を構成することにより、発光部品内の任意の可動部品を取り除くことができ、発光部品の導体が断線するリスクを低減することができる。
【００３４】
第２の態様に係る本発明は、第１の態様に係る電気スイッチに用いられる第１の態様に係る起動ボタンに関する。
【００３５】
第３の態様に係る本発明は、第１および第２の態様に係る起動ボタンと、第１の態様に係る電気スイッチとを有するキットに関する。
【００３６】
第４の態様に係る本発明は、第１および第２の態様に係る起動ボタンと、第１の態様に係る電気スイッチとの組み合わせに関する。
【００３７】
第１、第２、第３、および第４の態様に係る本発明は、任意に組み合わせることができる。
【図面の簡単な説明】
【００３８】
【図１】本発明の実施形態に係る第２の起動ボタンを用いた電気スイッチの斜視図である。
【図２】本発明の実施形態に係る第２の起動ボタンの側面図である。
【図３】電気スイッチの正面図である。
【図４】電気スイッチの側面図である。
【図５】電気スイッチの上面図である。
【図６】電気スイッチおよび第２の起動ボタンの上面図である。
【図７】図４の断面Ｂから見た断面図である。
【図８】図７の円部Ｃの拡大断面図である。
【図９】本発明の実施形態に係る第１の起動ボタンを用いた電気スイッチの斜視図である。
【図１０】図９の第１の起動ボタンの正面図である。
【図１１】図９の電気スイッチの側面図である。
【図１２】図９の電気スイッチの上面図である。
【図１３】図９の電気スイッチおよび第１の起動ボタンの上面図である。
【図１４】図１１の断面Ｆから見た断面図である。
【図１５】図１４の円部Ｇの拡大断面図である。
【図１６】本発明の実施形態に係る第１の起動ボタンを用いた電気スイッチの分解斜視図である。
【図１７】第１の起動ボタンを用いた電気スイッチの起動動作を示す正面図である。
【図１８】図１７の断面Ｃから見た断面図である。
【図１９】第１の起動ボタンを用いた電気スイッチの起動動作を示す正面図である。
【図２０】図１７の断面Ｂから見た断面図である。
【発明を実施するための形態】
【００３９】
図１は、第２の起動ボタン１０２が取り付けられた電気スイッチ１００の斜視図である。第１の起動ボタン１０４は図９〜図２０に図示されている。図２は、第２の起動ボタン１０２の側面正面図である。図３〜図５は、本発明に係る電気スイッチ１００である。図６は、電気スイッチ１００および第２の起動ボタン１０２を示す。電気スイッチ１００はハウジング１０６を有し、ハウジングは互いに固定された上側部分１０８および下側部分１１０を有する。固定手段は、たとえば接着剤、溶接、スナップ嵌合、締め嵌合がある。上側部分１０８および下側部分１１０は互いに対して固定され、起動部品１１２はハウジング１０６の内部に収納されている。起動部品１１２は、ハウジング１０６の内部に収納されているとき、オンスイッチ位置とオフスイッチ位置との間で移動することができる。図示された実施形態において、この起動部品１１２の移動は垂直方向の移動である。これは図１７〜図２０に図示され、これらの図面を参照して後に詳細に説明する。図１〜図１５は、オフスイッチ位置にある起動部品１１２を示すものである。
【００４０】
電気スイッチ１００は、少なくとも１組の導体（接点）１１４'，１１４''を有する。図示された実施形態では、電気スイッチ１００は２組の導体１１４'，１１４''を有する。各組の導体１１４'，１１４''は、第１の導体（接点）１１６'，１１６''と、第２の導体（接点）１１８'，１１８''とを有する。導体１１６'，１１６''，１１８'，１１８''は、電気スイッチ１００の外側表面からアクセス（接続）可能なものである。図１〜図８の実施形態において、導体１１６'，１１６''，１１８'，１１８''は、アセンブリの際、電気スイッチ１００が組み込まれ、固定される表面に設けた孔／キャビティに挿入するように設計された従来式の導体である。こうした表面は、プリント回路基板（ＰＣＢ：Printed Circuit Board）であってもよいことが理解される。また図９〜図２０に示す導体を用いた場合、導体のいくつかまたはすべては、ＳＭＤアセンブリ（表面実装デバイスのアセンブリ：Surface Mounted Device assembly）に適したものであってもよいことが理解される。
【００４１】
起動部品１１２がオンスイッチ位置にあるとき、各組の導体１１４'，１１４''は電気的に接続されている。したがって、第１の組の導体１１４'の導体１１６'と導体１１８'とは電気的に接続され、第２の組の導体１１４''の導体１１６''と導体１１８''とは電気的に接続されている。
【００４２】
起動部品１１２の外側表面１２０は、第１の保持表面１２２と第２の保持表面１２４とを有する。第１の保持表面１２２は、起動部品１１２に対して第１の起動ボタン１０４を保持するように構成され、同様に、第２の保持表面１２４は、起動部品１１２に対して第２の起動ボタン１０２を保持するように構成されている。第２の起動ボタン１０２は、複数の（図面では４つの）並進（垂直）延長部材１２８上に形成された第２の係合表面を有する。図示された実施形態において、並進延長部材１２８は、図中下方に延びるフィンガ部（指部）を有する。並進延長部材１２８は離間して配置されているため、起動部品１１２の半径方向に延びる突起部１３０は、並進延長部材１２８の間に受容される。
【００４３】
第２の係合表面１２６は、起動部品１１２の対応する第２の保持表面１２４に係合するように配置構成される。第２の係合表面１２６および第２の保持表面１２４は互いに係合し、第２の起動ボタン１０２および起動部品１１２は互いの関係において固定／保持される。このように保持するために、第２の保持表面１２４のそれぞれには、各並進延長部材１２８の半径方向内側に延びる突起部１３４と係合するように構成された凹部１３２が設けられている（図３および図８参照）。
【００４４】
同様に、第１の起動ボタン１０４は、並進延長部材１２８上に形成された複数の第１の係合表面１３６を有する（図９〜図２０）。第１の係合表面１３６は、起動部品１１２の第１の保持表面と係合するように構成されている。
【００４５】
第１の保持表面１２２および第２の保持表面１２４はそれぞれ、第１および第２の半径を有する円弧を有する。第２の保持表面１２４が半径方向に延びる突起部１３０の間に形成された空間内に形成されるため、第２の半径は第１の半径より小さいことが理解される。
【００４６】
半径が異なることから、第１の保持表面１２２は、第２の係合表面１２６ではなく、第１の係合表面１３６との関係においてのみ保持できることが理解される。同様に、第２の保持表面１２４は、第１の係合表面１３６ではなく、第２の係合表面１２６との関係においてのみ保持できることが理解される。
【００４７】
起動部品１１２の周囲に沿って複数の第１および第２の保持表面１２２，１２４を設けたことにより、第１および第２の起動ボタン１０４，１０２を、起動部品１１２の上側表面の垂直方向に対して相対的に（すなわち回転方向に）異なる位置に配置できることが理解される。
【００４８】
第１および第２の起動ボタン１０４，１０２はそれぞれキャビティを有し、キャビティは、第１および第２の起動ボタンが起動部品１１２に取り付けられたとき、起動部品１１２に対向する開口部１４２を有する。
【００４９】
図９〜図２０に示す第２の起動ボタン１０２は、発光部品１４４を収容する上で十分に大きいキャビティが内部形成され、第１の発光部導体（発光部品用リード）１４６および第２の発光部導体１４８を有する。同様に、導体１４６，１４８は、プリント回路基板の孔に挿入するか、面実装アセンブリに適するように設計されたものであってもよい。１つの実施形態において、これらの導体は、残りの導体１１６，１１８から電源を供給されるように、これらの導体１１６，１１８に電気的に接続してもよい。
【００５０】
発光部品１４４は、起動部品１１２に取り付けられた一方の起動ボタン１０４，１０２のキャビティ１４０内で発光するように配置される。
【００５１】
起動ボタン１０４，１０２および起動部品１１２の位置に無関係に、発光部品１４４がハウジング１０６に対して（垂直方向において）同一の位置に維持されるように、キャビティ１４０、起動部品１１２、および発光部品１４４は設計される。したがって、起動ボタン１０２，１０４が図中下方へ移動したとき、発光部品１４４はキャビティ１４０内で相対的に移動する。したがって、このように設計することにより、発光部品１４４を起動ボタン１０４に対して配置して、起動部品１１２に取り付けられた一方の起動ボタンのキャビティ１４０内で発光させるとともに、起動部品１１２をオンスイッチ位置とオフスイッチ位置との間で移動させることができるという利点が得られる。
【００５２】
発光部品からの光が起動ボタン１０４，１０２の外側表面から視認できるようにするために、起動ボタン１０４，１０２の少なくとも一部を透明にする。透明材料を着色して、発光部品１４４が発光したときの光を所定の色に変えてもよいことが理解される。
【００５３】
図１６は、電気スイッチ１００、発光部品１４４、および起動ボタン１０４の分解図である。電気スイッチ１００は、起動部品１１２がオンスイッチ位置にあるとき、それぞれ電気的に接続された複数の導体１１６'，１１６''，１１８'，１１８''を有する。コネクタ部品１５０が設けられ、コネクタ部品１５０が押圧されて起動部品１１２がオンスイッチ位置にあるとき、すべての導体１１６'，１１６''，１１８'，１１８''が電気的に接続される。
【００５４】
図１７および図１８は、オフスイッチ位置にあるときの電気スイッチ（１００）を示し、図１９および図２０は、オンスイッチ位置にあるときの電気スイッチ（１００）を示す。矢印１５２は、起動ボタン１０４が押圧されたことを示す。
【００５５】
オフスイッチ位置において、発光部品１４４の下側表面が起動部品１１２の上側表面に接触し、起動部品１１２がオンスイッチ位置にあるとき、発光部品１４４の下側表面が起動部品１１２の上側表面から離間していることが図示されている。したがって、発光部品１４４を同一の垂直方向の位置に維持した状態で、起動ボタン１０４および起動部品１１２を移動できることが図面からも理解される。
【符号の説明】
【００５６】
１００…電気スイッチ、１０２…第２の起動ボタン、１０４…第１の起動ボタン、１０６…ハウジング、１０８…上側部分、１１０…下側部分、１１２…起動部品、導体（接点）１１４'，１１４''、１１６'，１１６''第１の導体（接点）、１１８'，１１８''…第２の導体（接点）、１２０…外側表面、１２２…第１の保持表面、１２４…第２の保持表面、１２８…並進（垂直）延長部材、１３０…突起部、１３２…凹部、１３４…突起部、１３６…第１の係合表面、１４２…起動部品、１４４…発光部品、１４６，１４８…発光部導体（発光部品用リード）、１５０…コネクタ部品。
【図１】
0005544368.tif 000002
【図２】
0005544368.tif 000003
【図３】
0005544368.tif 000004
【図４】
0005544368.tif 000005
【図５−６】
0005544368.tif 000006
【図７】
0005544368.tif 000007
【図８】
0005544368.tif 000008
【図９】
0005544368.tif 000009
【図１０】
0005544368.tif 000010
【図１１．１３】
0005544368.tif 000011
【図１２】
0005544368.tif 000012
【図１４】
0005544368.tif 000013
【図１５】
0005544368.tif 000014
【図１６】
0005544368.tif 000015
【図１７】
0005544368.tif 000016
【図１８】
0005544368.tif 000017
【図１９】
0005544368.tif 000018
【図２０】
0005544368.tif 000019